(57)【要約】【課題】  法面に植生した草木に長期間にわたって養分を補給し、法面の緑化と土砂の流出防止を図り、木材が腐朽した後は鉄筋枠が残ることにより土砂の流出を防止する。【解決手段】  所望の長さに切断した間伐材の丸太材２には、両端面に開口する貫通穴３が軸方向に穿設してある。貫通穴３には棒鋼からなる連結ロッド４が遊挿してあり、連結ロッド４の両端側は雄ねじ部４Ａ、４Ａになっている。丸太材２は貫通穴３と連結ロッド４との間が肥料充填空間６になっている。肥料充填空間６には遅効型の肥料８が充填してある。連結ロッド４に嵌合してナット５で締着した蓋板７で貫通穴３の開口を閉塞することにより、肥料８を封入してある。複数本の連結ロッド４を環状連結金具に十字状、直角状に連結することにより、法面土留め枠体を構成する。【選択図】  図１
2006045964.tif 000002
【特許請求の範囲】
【請求項１】
所望の長さの木材と、該木材の略中心に穿設されて軸方向両端面に開口する貫通穴と、該貫通穴に遊挿され、前記木材の各端面から突出する両端側には雄ねじ部が刻設してある金属製の連結ロッドと、該連結ロッドを埋めるように前記貫通穴に充填した肥料と、前記連結ロッドの両端側に取着され、該肥料を封入するように前記貫通穴の開口を閉塞する封止体とから構成し、前記木材の乾燥割れにより前記肥料の成分が法面に溶出するようにしてなる土留め用鉄芯枠材。
【請求項２】
前記肥料は、遅効型の肥料であることを特徴とする請求項１記載の土留め用鉄芯枠材。
【請求項３】
請求項１又は２記載の土留め用鉄芯枠材の多数本を、前記連結ロッドの両端側に取着した連結金具を介して十字状及び直角状に連結することにより、法面上に格子型に設置してなる法面土留め枠体。
【発明の詳細な説明】
【技術分野】
【０００１】
本発明は、傾斜面である法面で成育する植生の養分不足による衰退化を防止することのできる土留め用鉄芯枠材、及びこの土留め用鉄芯枠材を組み付けて法面上に設置する法面土留め枠体に関する。
【背景技術】
【０００２】
従来、法面の土砂の流出を防止すると共に植生の定着を図るために木製の土留め体を法面に設置することが行われている。図４は従来技術の一例を示し、間伐材からなる横丸太５１、５１、・・・を先端側を行き違いの状態にして横方向に連結し、その上に長尺の縦丸太５２、５２、・・・を乗せて先端側を横丸太５１と鉄線５３で締結することにより格子型に構成した法面土留め体である。
【０００３】
また、本件出願人は先に、長手方向両端面に開口する貫通穴と、長手方向両端側に該貫通穴に対して略直角方向に貫通するロッド締着穴を夫々形成してなる多数本の枠材と、該各枠材の貫通穴に挿通される連結ロッド及び該連結ロッドに取着する締着部材とから構成し、前記各枠材の長手方向端面の各々と他の枠材を略直角に当接し、該枠材の貫通穴に挿通して他側から前記締着部材を締結することにより法面上に法面枠体を構成し、該法面枠体はアンカーにより該法面に固定してなる法面枠体構成物を提案した（特許文献１）。
【特許文献１】特開２００３−１９３４７３号公報
【発明の開示】
【発明が解決しようとする課題】
【０００４】
上述した従来技術の土留め体には、格子型に組んだ丸太５１、５２のうち縦丸太は法面から離間しているため、土砂の流出防止が確実でなく、植生の定着性にも欠けるという欠点がある。また、従来の法面緑化にあっては、法面に土留め枠体を設置して枠内の地盤に種子を蒔いたり草木を植生する施工時には施肥を行うが、その後は施肥することは殆どないのが実状である。このため、地質によっては養分の不足により草木が衰退してしまうという問題があるが、従来の法面緑化の工法はこの問題までも配慮したものではなかった。
【０００５】
本発明は、上述した従来技術の欠点及び未解決の問題点に鑑みなされたもので、法面に植生した草木に長期間にわたって養分を供給することができるので、
法面の緑化と土砂の流出防止に優れている土留め用鉄芯枠材を提供し、また多数本の土留め用鉄芯枠材は法面に接地しているので土砂の流出防止に優れていると共に、木材が腐朽した後も鉄筋枠が土砂の流出を防止することができる法面土留め枠体を提供することを目的とする。
【課題を解決するための手段】
【０００６】
上述した課題を解決するために構成された請求項１に係る本発明の土留め用鉄芯枠材の手段は、所望の長さの木材と、該木材の略中心に穿設されて軸方向両端面に開口する貫通穴と、該貫通穴に遊挿され、前記木材の各端面から突出する両端側には雄ねじ部が刻設してある金属製の連結ロッドと、該連結ロッドを埋めるように前記貫通穴に充填した肥料と、前記連結ロッドの両端側に取着され、該肥料を封入するように前記貫通穴の開口を閉塞する封止体とから構成し、前記木材の乾燥割れにより前記肥料の成分が法面に溶出するようにしたものからなる。
【０００７】
そして、前記肥料は、遅効型の肥料を用いるとよい。
【０００８】
また、請求項３に係る本発明の法面土留め枠体を構成する手段は、前記土留め用鉄芯枠材の多数本を、前記連結ロッドの両端側に取着した連結金具を介して十字状及び直角状に連結することにより、法面上に格子型に設置したものからなる。
【発明の効果】
【０００９】
本発明は上述の如く構成したから、下記の諸効果を奏する。
（１）土留め用鉄芯枠材に内蔵した肥料の養分が経年に伴う木材の乾燥割れによって法面に溶出することにより、法面の草木に長期間にわたって養分を供給することができるから、法面の緑化と土砂の流出防止に優れている。
（２）土留め用鉄芯枠体の乾燥割れの進み具合は設置場所によって異なるが、土留め用鉄芯枠材の肥料充填空間に遅効型肥料を充填することにより、更に長期間に渡って植生の衰退化を防止し、法面の安定化を図ることができる。
（３）法面土留め枠体は金属製の連結ロッドを連結金具で連結して土留め用鉄芯枠材を十字状及び直角状に連結する構成にしたから、各土留め用鉄芯枠材は法面に接地しているので土砂の流出防止に優れている。
（４）法面上に格子型の法面土留め枠体を設置するから、木材が腐朽した後でも連結ロッドが枠状に残存して法面の土砂流出を防止することができる。
【発明を実施するための最良の形態】
【００１０】
以下、本発明の実施の形態を図面に基づき詳述する。図において、１、１、・・・は土留め用鉄芯枠材を示す。２は該各土留め用鉄芯枠材１を構成する長尺の丸太材で、該丸太材２は例えばカラマツ等の間伐材を適宜の長さに切断したものからなり、長手方向の両端面２Ａ、２Ａには座ぐり２Ｂ、２Ｂが形成してある。３は前記丸太材２の略中心に位置して長手方向に穿設した貫通穴で、該貫通穴３は両端の開口３Ａ、３Ａ（図示せず。）が前記座ぐり２Ｂ、２Ｂに位置している。
【００１１】
４は丸太材２より長尺の棒鋼からなり、貫通穴３に遊挿した連結ロッドで、該連結ロッド４は全周に雄ねじを刻設したものを使用することにより、丸太材２の両端面２Ａ、２Ａから突出する両端側はナット５、５を螺合する雄ねじ部４Ａ、４Ａになっている。そして、連結ロッド４の直径に対して貫通穴３の穴径を大きく設定することにより、連通穴３内の連結ロッド４の周囲は全長に渡って肥料充填空間６としてある。７、７は後述する肥料８を前記肥料充填空間６内に封入する封止体としての蓋板を示す。該各蓋板７は丸太材２の座ぐり２Ｂに嵌合した状態で貫通穴３の開口３Ａ、３Ａを閉塞しており、連結ロッド４の雄ねじ部４Ａに螺合するナット５によって締着してある。
【００１２】
なお、封止体として蓋板７の他に、ロッド挿通穴を穿設した木製の栓を貫通穴３の開口３Ａに挿着するようにしてもよい。
【００１３】
８は丸太材２の貫通穴３と連結ロッド４の間の肥料充填空間６に充填し、蓋板７、７により封入した肥料である。該肥料８は有機肥料分と化学肥料分を混合した公知のものを用いることができるが、望ましくは肥効の発揮に例えば６か月以上の期間を要する遅効型に処理した肥料を用いるとよい。これは、後述する法面土留め枠体１１の施工時には法面に施肥するので当分の期間、最短で６か月は肥料は不要であるが、肥料が必要となるその後は丸太材２の乾燥割れＡが始まる時期から数年、約５年間に渡って肥料の成分がゆっくりと法面に溶出するようにすることにある。また、土壌は次第に酸性化することから、石灰質の土壌改良剤を添加し、土壌をｐｈ７を維持するようにしてある。
【００１４】
次に、上記土留め用鉄芯枠材１により構成する法面土留め枠体について説明する。図２において、１１は法面土留め枠体を示し、該法面土留め枠体１１は多数本の土留め用鉄芯枠材１、１、・・・と環状連結金具１２、１２、・・・とから構成してある。環状連結金具１２は、図３に示すように金属板を環状に形成した環状基体１２Ａと、該環状基体１２に周方向に９０度ずつ離間させて十字方向に形成した４個の連結穴１２Ｂ、１２Ｂ、・・（図示せず。）とから構成してある。そして、該各連結穴１２Ｂに連結ロッド４の雄ねじ部４Ａを外側から挿入し、内側からナット１３を螺合することにより、土留め用鉄芯枠材１に環状連結金具１２を取着する。
【００１５】
上述のようにして、複数本の土留め用枠材１、１、・・・を複数個の環状連結金具１２、１２、・・を介して十字状に、また直角状に連結することにより、容易に短時間で格子型の法面土留め枠体１１を構成することができる。そして、各環状連結金具１２の内側にアンカー１４を挿入して法面に打ち込むことにより、法面土留め枠体１１を法面に固定する。
【００１６】
このようにして設置した法面土留め枠体１１を構成する土留め用鉄芯枠材１は、南向き斜面か北向き斜面か、乾燥地か湿潤地か等の設置場所によって差はあるが、丸太材２が次第に乾燥することにより表面から割れＡが発生し、その割れＡが次第に大きくなって丸太材２の中心側の貫通穴３にまで拡大する。これにより、肥料充填空間６に充填してある遅効性肥料８の養分が乾燥割れＡから外部に序々に溶出することにより、法面で成育する草木に長期間栄養分を供給し、また土壌の酸性化を防止して草木の成育を維持し、また土壌の流出を防止することができる。
【００１７】
なお、本実施の形態では環状連結金具１２は円形に形成したが、四角形にしてもよい。また、三角形や五角形の環状連結金具を併用して種々の形状の法面土留め枠体を構成してもよい。
【図面の簡単な説明】
【００１８】
【図１】図１乃至図３は本発明の実施の形態に係り、図１は土留め用鉄芯枠材の一部を破断にして示す斜視図である。
【図２】法面土留め枠体の部分平面図である。
【図３】法面土留め枠体の部分拡大斜視図である。
【図４】従来技術に係る法面土留め体の部分平面図である。
【符号の説明】
【００１９】
１        土留め用鉄芯枠材
２        丸太材（木材）
３        貫通穴
４        連結ロッド
６        肥料充填空間
７        蓋板（封止体）
８        遅効型肥料
１１      法面土留め枠体
１２      環状連結金具
【図１】
2006045964.tif 000003
【図２】
2006045964.tif 000004
【図３】
2006045964.tif 000005
【図４】
2006045964.tif 000006